(57)【特許請求の範囲】
【請求項１】
能動的にリソース状況を通知する方法であって、
現在ｅＮＢのリソース使用状態を検出することと、
現在ｅＮＢのリソース使用状態がアラーム条件を満たすことが検出される場合、現在ｅＮＢのリソース使用状態の通知情報を送信することと、を含み、
前記アラーム条件は、現在ｅＮＢのリソース使用率が予め設定された第一の閾値を超えることが検出されること、又は現在ｅＮＢのリソース使用率が予め設定された第二の閾値を下回ることが検出されることである、ことを特徴とする方法。
【請求項２】
前記現在ｅＮＢのリソース使用状態の通知情報を送信することは、
現在ｅＮＢのリソース使用状態の通知情報を隣接ｅＮＢへ送信することである
ことを特徴とする請求項１に記載の方法。
【請求項３】
前記現在ｅＮＢのリソース使用状態がアラーム条件を満たすことが検出されることは、
現在ｅＮＢのリソース使用率が予め設定された第一の閾値を超えることが初回に検出されること、又は現在ｅＮＢのリソース使用率が予め設定された第二の閾値を下回ることが検出されることである
ことを特徴とする請求項１又は２に記載の方法。
【請求項４】
前記現在ｅＮＢのリソース使用状態を検出することは、
現在ｅＮＢのリソース使用状態をリアルタイム又は定期的に検出することであり、
前記現在ｅＮＢのリソース使用状態がアラーム条件を満たすことが検出されることは、
今回に検出された現在ｅＮＢのリソース使用状態は前回に検出された現在ｅＮＢのリソース使用状態と比べて変化された且つ現在ｅＮＢのリソース使用率が予め設定された第一の閾値を超えることが検出される又は現在ｅＮＢのリソース使用率が予め設定された第二の閾値を下回ることが検出されることを含む
ことを特徴とする請求項１又は２に記載の方法。
【請求項５】
前記現在ｅＮＢのリソース使用状態の通知情報を送信することは、
ＲＥＳＯＵＲＣＥ  ＳＴＡＴＵＳ  ＵＰＤＡＴＥメッセージを用いて送信することを含むが、ＲＥＳＯＵＲＣＥ  ＳＴＡＴＵＳ  ＵＰＤＡＴＥメッセージに限定されない
ことを特徴とする請求項１又は２に記載の方法。
【請求項６】
能動的にリソース状況を通知する装置であって、
現在ｅＮＢのリソース使用状態を検出し、検出結果を判定ユニットへ送信するように構成される検出ユニットと、
受信された現在ｅＮＢのリソース使用状態を応じて、現在ｅＮＢにおけるリソース使用状態がアラーム条件を満たすかどうかを判定し、現在ｅＮＢにおけるリソース使用状態がアラーム条件を満たすと判定した場合、送信ユニットをトリガするように構成される判定ユニットと、
現在ｅＮＢにおけるリソース使用状態がアラーム条件を満たす場合、現在ｅＮＢのリソース使用状態の通知情報を送信するように構成される送信ユニットと
を備え、
前記アラーム条件は、現在ｅＮＢのリソース使用率が予め設定された第一の閾値を超えることが検出される又は現在ｅＮＢのリソース使用率が予め設定された第二の閾値を下回ることが検出されることである、ことを特徴とする装置。
【請求項７】
前記送信ユニットは、現在ｅＮＢのリソース使用状態の通知情報を隣接ｅＮＢへ送信するように構成される
ことを特徴とする請求項６に記載の装置。
【請求項８】
前記判定ユニットは、現在ｅＮＢのリソース使用率が予め設定された第一の閾値を超えることが初回に検出される又は現在ｅＮＢのリソース使用率が予め設定された第二の閾値を下回ることが検出される場合、現在ｅＮＢのリソース使用状態がアラーム条件を満たす
と判定するように構成される
ことを特徴とする請求項６又は７に記載の装置。
【請求項９】
前記検出ユニットは、現在ｅＮＢのリソース使用状態をリアルタイム又は定期的に検出し、今回に検出された現在ｅＮＢのリソース使用状態は前回に検出された現在ｅＮＢのリソース使用状態と比べて変化された且つ現在ｅＮＢのリソース使用率が予め設定された第一の閾値を超えることが検出される又は現在ｅＮＢのリソース使用率が予め設定された第二の閾値を下回ることが検出される場合、現在ｅＮＢのリソース使用状態がアラーム条件を満たすと判定するように構成される
ことを特徴とする請求項６又は７に記載の装置。
【請求項１０】
前記装置は、さらに記憶ユニットを含み、
前記記憶ユニットは、検出された現在ｅＮＢのリソース使用状態、前記予め設定された第一の閾値及び予め設定された第二の閾値を記憶するように構成される
ことを特徴とする請求項６又は７に記載の装置。
【発明の詳細な説明】
【技術分野】
【０００１】
本発明はロングタームエボリューション（ＬＴＥ：Ｌｏｎｇ  Ｔｅｒｍ  Ｅｖｏｌｕｔｉｏｎ）システムにおける発展型基地局（ｅＮＢ：ｅｖｏｌｖｅｄ  Ｎｏｄｅ  Ｂ）の間の情報交換技術に関し、特に能動的にリソース状況を通知する方法及び装置に関する。
【背景技術】
【０００２】
ＬＴＥシステムにおいて、ｅＮＢは、リソース状況要求（ＲＥＳＯＵＲＣＥ  ＳＴＡＴＵＳ  ＲＥＱＵＥＳＴ）メッセージを隣接ｅＮＢへ送信することによって、メッセージにおける指示される内容に基づいてリソース測定を行うことを隣接ｅＮＢに通知する。ここで、ＲＥＳＯＵＲＣＥ  ＳＴＡＴＵＳ  ＲＥＱＵＥＳＴメッセージに含まれる主情報は、測定が開始／停止するマーク、測定を行う必要があるリソースの類別、リソース測定を行う必要があるセル及び測定の時間間隔などである。隣接ｅＮＢは、ＲＥＳＯＵＲＣＥ  ＳＴＡＴＵＳ  ＲＥＱＵＥＳＴメッセージを受信した後、リソース状況応答（ＲＥＳＯＵＲＣＥ  ＳＴＡＴＵＳ  ＲＥＳＰＯＮＳＥ）メッセージを返信する。その後、隣接ｅＮＢは、ＲＥＳＯＵＲＣＥ  ＳＴＡＴＵＳ  ＲＥＱＵＥＳＴメッセージにおける情報に応じてリソース測定を行い、リソース状況更新（ＲＥＳＯＵＲＣＥ  ＳＴＡＴＵＳ  ＵＰＤＡＴＥ）メッセージとして、測定結果を、ＲＥＳＯＵＲＣＥ  ＳＴＡＴＵＳ  ＲＥＱＵＥＳＴメッセージを送信したｅＮＢへ報知する。
【０００３】
上記処理の過程において、ｅＮＢはＲＥＳＯＵＲＣＥ  ＳＴＡＴＵＳ  ＲＥＱＵＥＳＴメッセージを隣接ｅＮＢへ送信しない場合、隣接ｅＮＢは自身のリソース状況をｅＮＢへ通知することができない。隣接ｅＮＢのリソースがすでに不足な状態にある場合、その他ｅＮＢについては、隣接ｅＮＢがすでにリソース不足な状態にあることを分からなく、新しいユーザー設備（ＵＥ：Ｕｓｅｒ  Ｅｑｕｉｐｍｅｎｔ）を持続的にハンドオーバーすることがある。こうすると、隣接ｅＮＢの負担をさらに増加して、隣接ｅＮＢにおけるＵＥのアクセスとハンドオーバーの成功率を低減してしまうことがある。
【発明の概要】
【発明が解決しようとする課題】
【０００４】
これを鑑みて、本発明の実施例の主な目的は、ｅＮＢにおけるリソース使用状態を能動的に通知することができる且つｅＮＢにおけるＵＥのアクセスとハンドオーバーの成功率を高めるように能動的にリソース状況を通知する方法及び装置を提供することにある。
【課題を解決するための手段】
【０００５】
上記目的を達成するために、本発明の技術案は、以下のように実現される。
【０００６】
本発明の実施例は、能動的にリソース状況を通知する方法を提供し、前記方法は、
現在ｅＮＢのリソース使用状態を検出することと、
現在ｅＮＢのリソース使用状態がアラーム条件を満たすことが検出される場合、現在ｅＮＢのリソース使用状態の通知情報を送信することとを含む。
【０００７】
上記の技術案において、前記現在ｅＮＢのリソース使用状態の通知情報を送信することは、現在ｅＮＢのリソース使用状態の通知情報を隣接ｅＮＢへ送信することである。
【０００８】
上記の技術案において、前記現在ｅＮＢのリソース使用状態がアラーム条件を満たすことが検出されることは、現在ｅＮＢのリソース使用率が予め設定された第一の閾値を超えることが初回に検出されること、又は現在ｅＮＢのリソース使用率が予め設定された第二の閾値を下回ることが検出されることである。
【０００９】
上記の技術案において、前記現在ｅＮＢのリソース使用状態を検出することは、現在ｅＮＢのリソース使用状態をリアルタイム又は定期的に検出することであり、
前記現在ｅＮＢのリソース使用状態がアラーム条件を満たすことが検出されることは、今回に検出された現在ｅＮＢのリソース使用状態は前回に検出された現在ｅＮＢのリソース使用状態と比べて変化された且つ現在ｅＮＢのリソース使用率が予め設定された第一の閾値を超えることが検出される又は現在ｅＮＢのリソース使用率が予め設定された第二の閾値を下回ることが検出されることを含む。
【００１０】
上記の技術案において、前記現在ｅＮＢのリソース使用状態の通知情報を送信することは、ＲＥＳＯＵＲＣＥ  ＳＴＡＴＵＳ  ＵＰＤＡＴＥメッセージより送信することを含むが、これに限定されない。
【００１１】
本発明はまた、能動的にリソース状況を通知する装置を提供し、前記装置は、
現在ｅＮＢのリソース使用状態を検出し、検出結果を判定ユニットへ送信するように構成される検出ユニットと、
受信された現在ｅＮＢのリソース使用状態を応じて、現在ｅＮＢにおけるリソース使用状態がアラーム条件を満たすかどうかを判定し、現在ｅＮＢにおけるリソース使用状態がアラーム条件を満たすと判定した場合、送信ユニットをトリガするように構成される判定ユニットと、
現在ｅＮＢにおけるリソース使用状態がアラーム条件を満たす場合、現在ｅＮＢのリソース使用状態の通知情報を送信するように構成される送信ユニットとを備える。
【００１２】
上記の技術案において、前記送信ユニットは、現在ｅＮＢのリソース使用状態の通知情報を隣接ｅＮＢへ送信するように構成される。
【００１３】
上記の技術案において、前記判定ユニットは、現在ｅＮＢのリソース使用率が予め設定された第一の閾値を超えることが初回に検出される又は現在ｅＮＢのリソース使用率が予め設定された第二の閾値を下回ることが検出される場合、現在ｅＮＢのリソース使用状態がアラーム条件を満たすと判定するように構成される。
【００１４】
上記の技術案において、前記検出ユニットは、現在ｅＮＢのリソース使用状態をリアルタイム又は定期的に検出し、今回に検出された現在ｅＮＢのリソース使用状態は前回に検出された現在ｅＮＢのリソース使用状態と比べて変化された且つ現在ｅＮＢのリソース使用率が予め設定された第一の閾値を超えることが検出される又は現在ｅＮＢのリソース使用率が予め設定された第二の閾値を下回ることが検出される場合、現在ｅＮＢのリソース使用状態がアラーム条件を満たすと判定するように構成される。
【００１５】
上記の技術案において、前記装置は、さらに記憶ユニットを含み、前記記憶ユニットは、検出された現在ｅＮＢのリソース使用状態、前記予め設定された第一の閾値及び予め設定された第二の閾値を記憶するように構成される。
【００１６】
本発明の実施例より提供される能動的にリソース状況を通知する方法及び装置において、ｅＮＢのリソース使用状態を検出し、ｅＮＢのリソース使用状態がアラーム条件を満たすことが検出される場合、ｅＮＢのリソース状態の情報を隣接ｅＮＢへ送信し、隣接ｅＮＢは、リソース状態の情報を受信した後、ｅＮＢのリソース状態を応じて、ハンドオーバーしようとする候補セルを選別し又は優先度ソートを行う。こうすると、ＵＥが隣接ｅＮＢから現在ｅＮＢへハンドオーバーする失敗率を低下することができ、現在ｅＮＢにおけるＵＥのアクセス成功率を優先に確保することができる。ｅＮＢのリソース使用状態を複数に検出し、今回に検出されたリソース使用状態が前回に検出されたリソース使用状態と比べて同じの場合、メッセージを発信しなく、使用状態が変化されることが検出される場合、メッセージを発信する。こうすると、隣接ｅＮＢが現在ｅＮＢのリソース使用状態を正確に取ることを確保する場合において、ネットワークリソースの浪費を回避することができる。
【図面の簡単な説明】
【００１７】
【図１】本発明の実施例に係るｅＮＢ間のリソース状況メッセージの送信を示す図である。
【図２】本発明の第一実施例に係る能動的にリソース使用状態を通知する方法のフローチャートである。
【図３】本発明の第二実施例に係る能動的にリソース使用状態を通知する方法の具体なフローチャートである。
【図４】本発明の実施例に係る能動的にリソース状況を通知する装置の構造構成を示す図である。
【発明を実施するための形態】
【００１８】
本発明の基本的な考えは、以下のようなものである。すなわち、現在ｅＮＢのリソース使用状態を検出し、現在ｅＮＢのリソース使用状態がアラーム条件を満たすことが検出される場合、現在ｅＮＢのリソース使用状態の通知情報を送信する。
【００１９】
ここで、前記現在ｅＮＢのリソース使用状態の通知情報を送信することは、具体的には、現在ｅＮＢのリソース使用状態の通知情報を隣接ｅＮＢへ送信することである。
【００２０】
ここで、前記現在ｅＮＢのリソース使用状態を検出することは、一般的には、複数回に検出することであり、リアルタイムに検出してもよいし、定期的に検出してもよい。
【００２１】
ここで、前記現在ｅＮＢのリソース使用状態がアラーム条件を満たすことが検出されることは、
現在ｅＮＢのリソース使用率が予め設定された第一の閾値を超えることが初回に検出される又は現在ｅＮＢのリソース使用率が予め設定された第二の閾値を下回ることが初回に検出されること、
又は現在ｅＮＢにおけるリソースの使用状態の情報が先回に検出された現在ｅＮＢのリソース使用状態の情報と一致しない且つ現在ｅＮＢのリソース使用状態が予め設定された第一の閾値を超えることが検出される又は現在ｅＮＢのリソース使用状態が予め設定された第二の閾値下回ることが検出されることを含む。
【００２２】
前記予め設定された第一の閾値と予め設定された第二の閾値が実際の応用におけるニーズに応じて設定されることができる。
【００２３】
ここで、前記予め設定された第一の閾値は、リソース使用率が高いと判定するための閾値であり、実際のリソース使用率が予め設定された第一の閾値を越えた場合、現在ｅＮＢのリソース使用率が高く、アラーム条件を満たすと考えられる。例えば、現在ｅＮＢにおけるリソース使用率が８０％を超えた場合、即ち、アラーム条件を満たすと考えられる。前記予め設定された第二の閾値は、リソース使用率が低いと判定するための閾値であり、実際のリソース使用率が予め設定された第二の閾値を下回った場合、即ち、現在ｅＮＢのリソース使用率が低く、アラーム条件を満たすと考えられる。例えば、現在ｅＮＢにおけるリソース使用率が２０％を下回った場合、アラーム条件を満たすと考えられる。ここで、前記予め設定された第一の閾値は、予め設定された第二の閾値以上であるべきである。
【００２４】
前記隣接ｅＮＢが、実際の応用において、前記現在ｅＮＢの周りの他ｅＮＢとの位置および相互作用関係に応じて確定され、一つであってもよいし、複数であってもよい。
【００２５】
図１のように、図１は本発明の実施例に係るｅＮＢ間のリソース状況メッセージの送信を示す図であり、図１では、現在ｅＮＢについては、二つの隣接ｅＮＢであるｅＮＢ１とｅＮＢ２がある。現在ｅＮＢにおけるリソース使用状況がアラーム条件を満たすことが検出された場合、リソース使用状態の情報を隣接ｅＮＢへ送信する。例えば、現在ｅＮＢにおけるリソース使用率が予め設定された第一の閾値を超えることが検出された場合、即ち、現在ｅＮＢにおけるリソース使用率が高く、アラーム条件を満たすと考えられ、リソース使用状態の情報を隣接ｅＮＢへ送信する。現在ｅＮＢにおけるリソース使用率が予め設定された第二の閾値を下回ることが検出された場合、即ち、現在ｅＮＢにおけるリソース使用率低く、アラーム条件を満たすと考えられ、リソース使用状態の情報を隣接ｅＮＢへ送信する。
【００２６】
上記のリソース使用状態の情報を送信するプロセスは、実行される具体的な順位に限られなく、即ち、現在ｅＮＢにおけるリソース使用率が高い又は低いことが検出された場合は、共に、対応するリソース使用状態の情報を隣接ｅＮＢへ送信する。現在ｅＮＢのリソース使用状態が変化されることが再度に検出された場合、例えば、リソース使用状態におけるリソース使用率が高いことが先回に検出され、リソース使用状態におけるリソース使用率が低いことが今回に検索された場合、リソース使用状態の情報をｅＮＢへ再度に送信する。
【００２７】
また、リソース使用状態がリソース使用率高い又は低い状態にあることが先回に検出され、リソース使用状態がリソース使用率高い又は低い状態にあることも今回に検索された場合、隣接の２回に検出されたリソース使用状態が変化されないことを分かり、リソース使用状態の情報を隣接ｅＮＢへ送信しない。
【００２８】
以下、図面及び具体な実施例に基づいて、本発明の技術案の実施例をより詳しく説明する。図２は本発明の第一実施例に係る能動的にリソース使用状態を通知する方法のフローチャートであり、図２のように、本実施例に係る能動的にリソース使用状態を通知する方法は以下のステップを含む。
【００２９】
ステップ２０１：現在ｅＮＢのリソース使用状態を検出する。
【００３０】
具体的には、前記現在ｅＮＢのリソース使用状態を検出することは、現在ｅＮＢのリソース使用率の情報を検出することである。
【００３１】
ステップ２０２：現在ｅＮＢにおけるリソース使用状態がアラーム条件を満たすかどうかを判断し、現在ｅＮＢにおけるリソース使用状態がアラーム条件を満たす場合、ステップ２０３を実行し、満たさない場合、ステップ２０１を戻って実行する。
【００３２】
ここで、前記現在ｅＮＢにおけるリソース使用状態がアラーム条件を満たすことは、具体的には、
初回検出に対して、現在ｅＮＢのリソース使用率予め設定された第一の閾値を超えることが検出される場合、又は現在ｅＮＢのリソース使用率が予め設定された第二の閾値を下回ることが検出される場合、アラーム条件を満たすと考えられる。
【００３３】
再度検出に対して、今回に検出された現在ｅＮＢのリソース使用状態が前回に検出された現在ｅＮＢのリソース使用状態と比べて変化された、且つ現在ｅＮＢのリソース使用率が予め設定された第一の閾値を超える又は現在ｅＮＢのリソース使用率が予め設定された第二の閾値を下回ることが検出される場合、アラーム条件を満たすと考えられる。
【００３４】
例えば、現在ｅＮＢにおけるリソース使用率が予め設定された第一の閾値を超える且つ前回に検出された現在ｅＮＢにおけるリソース使用率が予め設定された第二の閾値を下回ることが検出される場合、現在ｅＮＢにおけるリソース使用状態がアラーム条件を満たすと判定し、ステップ２０３を実行して、現在ｅＮＢのリソース使用状態の通知情報を隣接ｅＮＢへ送信する。又は、現在ｅＮＢにおけるリソース使用率が予め設定された第一の閾値を超える且前回に検出された現在ｅＮＢにおけるリソース使用率も予め設定された第一の閾値を上回ることが検出される場合、現在ｅＮＢにおけるリソース使用状態がアラーム条件を満たさないと判定し、ステップ２０１に戻って実行して、現在ｅＮＢにおけるリソース使用状態の情報を続けて検出する。
【００３５】
ステップ２０３：現在ｅＮＢのリソース使用状態の通知情報を送信する。
【００３６】
ここで、前記現在ｅＮＢのリソース使用状態の通知情報を送信することは、具体的には、現在ｅＮＢのリソース使用状態の通知情報を隣接ｅＮＢへ送信することである。
【００３７】
ここで、前記隣接ｅＮＢへ送信されたリソース使用状態の通知情報は、ＲＥＳＯＵＲＣＥ  ＳＴＡＴＵＳ  ＵＰＤＡＴＥメッセージにおけるリソース状況情報であってもよいし、リソース状況を指示するための他の形態の情報であってもよい。前記リソース使用状態の通知情報は、リソース使用率が高い又はリソース使用率が低いというメッセージであってもよい。
【００３８】
ここで、隣接ｅＮＢへ送信することは、現在ｅＮＢのすべての隣接ｅＮＢへ送信することである。それに応じて、各隣接ｅＮＢは、この情報を受信した後、この情報におけるリソース状況を参考して、ＵＥがハンドオーバーしようとする候補セルの選別又は優先度ソートを行う。
【００３９】
図３は本発明の第二実施例に係る能動的にリソース使用状態を通知する方法の具体なフローチャートであり、図３のように、本実施例では、ｅＮＢ１が現在ｅＮＢであり、ｅＮＢ２とｅＮＢ３がｅＮＢ１の隣接ｅＮＢである。無論、実際の応用において、より多く隣接ｅＮＢがあってもよい。例えば、隣接ｅＮＢ４、ｅＮＢ５などもある。本実施例に係る能動的にリソース使用状態を通知する方法は以下のステップを含む。
【００４０】
ステップ３０１：ｅＮＢ１のリソース使用状態を初回に検出する。
【００４１】
具体的には、前記ｅＮＢ１のリソース使用状態を検出することは、現在ｅＮＢのリソース使用率の情報を検出する。
【００４２】
ステップ３０２：ｅＮＢ１におけるリソース使用状態を判断し、ｅＮＢ１のリソース使用率が高く、アラーム条件を満たすことが検出される場合、ステップ３０３を実行する。
【００４３】
ここで、前記ｅＮＢ１のリソース使用率が高いことが検出されることは、具体的には、ｅＮＢ１のリソース使用率が予め設定された第一の閾値を超えることが検出されることである。
【００４４】
ステップ３０３：ｅＮＢ１は、リソース使用状態の情報を隣のｅＮＢ２とｅＮＢ３へ送信する。
【００４５】
ここで、前記ｅＮＢ２とｅＮＢ３へ送信されたリソース使用状態の通知情報は、ＲＥＳＯＵＲＣＥ  ＳＴＡＴＵＳ  ＵＰＤＡＴＥメッセージにおけるリソース状況情報であってもよいし、リソース状況を指示するための他の形態の情報であってもよい。
【００４６】
それに応じて、ｅＮＢ２とｅＮＢ３は、このリソース使用状態の通知情報を受信した後、この情報におけるリソース状況を参考し、ＵＥがハンドオーバーしようとする候補セルの選別又は優先度ソートを行う。
【００４７】
ステップ３０４：ｅＮＢ１におけるリソース使用状態の情報を続けて検出する。
【００４８】
具体的には、前記ｅＮＢ１のリソース使用状態を検出することは、現在ｅＮＢのリソース使用率の情報を検出することである。
【００４９】
ステップ３０５：ｅＮＢ１におけるリソース使用状態を判断し、ｅＮＢ１リソース使用率が低く、アラーム条件を満たすことが検出される場合、ステップ３０６を実行する。
【００５０】
ここで、前記ｅＮＢ１リソース使用率が低いことが検出されることは、具体的には、ｅＮＢ１のリソース使用率が予め設定された第二の閾値を下回ることが検出されることである。
【００５１】
ステップ３０６：  ｅＮＢ１は、リソース使用状態の情報を隣のｅＮＢ２とｅＮＢ３へ送信する。
【００５２】
ここで、前記ｅＮＢ２とｅＮＢ３へ送信されたリソース使用状態の通知情報は、ＲＥＳＯＵＲＣＥ  ＳＴＡＴＵＳ  ＵＰＤＡＴＥメッセージにおけるリソース状況情報であってもよいし、リソース状況を指示するための他の形態の情報であってもよい。
【００５３】
それに応じて、ｅＮＢ２とｅＮＢ３は、このリソース使用状態の通知情報を受信した後、この情報におけるリソース状況を参考し、ＵＥがハンドオーバーしようとする候補セルの選別又は優先度ソートを行う。
【００５４】
本発明の実施例は、また、能動的にリソース状況を通知する装置を提供する。該当装置がｅＮＢに搭載されることができる。図４のように、前記装置は、検出ユニット４１、判定ユニット４２、送信ユニット４３を含む。
【００５５】
ここで、前記検出ユニット４１は、現在ｅＮＢのリソース使用状態を検出し、検出結果を判定ユニット４２へ送信することに用いられる。
【００５６】
具体的には、前記現在ｅＮＢのリソース使用状態を検出することは、現在ｅＮＢのリソース使用率の情報を検出することである。
【００５７】
前記判定ユニット４２は、受信された現在ｅＮＢのリソース使用状態を応じて、現在ｅＮＢにおけるリソース使用状態がアラーム条件を満たすかどうかを判定し、現在ｅＮＢにおけるリソース使用状態がアラーム条件を満たすと判定した場合、送信ユニット４３をトリガすることに用いられる。
【００５８】
ここで、前記現在ｅＮＢにおけるリソース使用状態がアラーム条件を満たすことは、具体的には、
初回検出に対して、現在ｅＮＢのリソース使用率が予め設定された第一の閾値を超えることが検出される場合、又は現在ｅＮＢのリソース使用率が予め設定された第二の閾値を下回ることが検出される場合、アラーム条件を満たすと考えられる。
【００５９】
再度検出に対して、今回に検出された現在ｅＮＢのリソース使用状態が前回に検出された現在ｅＮＢのリソース使用状態と比べて変化された、且つ現在ｅＮＢのリソース使用率が予め設定された第一の閾値を超える又は現在ｅＮＢのリソース使用率が予め設定された第二の閾値を下回ることが検出される場合、アラーム条件を満たすと考えられる。
【００６０】
例えば、現在ｅＮＢにおけるリソース使用率が予め設定された第一の閾値を超える且つ前回に検出された現在ｅＮＢにおけるリソース使用率が予め設定された第二の閾値を下回ることが検出される場合、現在ｅＮＢにおけるリソース使用状態がアラーム条件を満たすと判定し、さらに、現在ｅＮＢのリソース使用状態の通知情報を隣接ｅＮＢへ送信する。又は、現在ｅＮＢにおけるリソース使用率が予め設定された第一の閾値を超える且つ前回に検出された現在ｅＮＢにおけるリソース使用率も予め設定された第一の閾値を超えることが検出される場合、現在ｅＮＢにおけるリソース使用状態がアラーム条件を満たさないと判定し、それでは、現在ｅＮＢにおけるリソース使用状態の情報続けて検出する。
【００６１】
前記送信ユニット４３は、現在ｅＮＢにおけるリソース使用状態がアラーム条件を満たす場合、現在ｅＮＢのリソース使用状態の通知情報を送信することに用いられる。
【００６２】
ここで、前記現在ｅＮＢのリソース使用状態の通知情報を送信することは、具体的には、現在ｅＮＢのリソース使用状態の通知情報を隣接ｅＮＢへ送信することである。
【００６３】
ここで、前記隣接ｅＮＢへ送信されたリソース使用状態の通知情報は、ＲＥＳＯＵＲＣＥ  ＳＴＡＴＵＳ  ＵＰＤＡＴＥメッセージにおけるリソース状況情報であってもよく、リソース状況を指示するための他の形態の情報であってもよい。前記リソース使用状態の通知情報は、リソース使用率が高い又はリソース使用率が低いというメッセージであってもよい。
【００６４】
前記能動的にリソース状況を通知する装置は、さらに記憶ユニット４４を含む。該当記憶ユニット４４は、検出された現在ｅＮＢのリソース使用状態、予め設定された第一の閾値及び予め設定された第二の閾値を記憶することに用いられる。
【００６５】
ここで、記憶されたリソース使用状態、予め設定された第一の閾値及び予め設定された第二の閾値のいずれも以降の判定ユニット４２の判断の参考条件とする。
【００６６】
当業者であれば、図４に示すような能動的にリソース状況を通知する装置における各処理ユニットの実現機能について、前記の能動的にリソース状況を通知する方法に関連する説明を参照することによって理解できることであろう。当業者であれば、図４に示すような能動的にリソース状況を通知する装置における各処理ユニットの機能にについて、プロセッサに動作するプログラムにより実現されることができ、具体的な論理回路により実現されることがあることを理解できることであろう。例えば、ｅＮＢにある中央処理装置（ＣＰＵ：ｃｅｎｔｒａｌ  ｐｒｏｃｅｓｓｉｎｇ  ｕｎｉｔ）、マイクロプロセッシングユニット（ＭＰＵ：ｍｉｃｒｏ  ｐｒｏｃｅｓｓｉｎｇ  ｕｎｉｔ）、ディジタル信号プロセッサ（ＤＳＰ：ｄｉｇｉｔａｌ  ｓｉｇｎａｌ  ｐｒｏｃｅｓｓｏｒ）、又はフィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）により実現されることができる。前記記憶ユニットは、各種メモリ又は記憶媒体により実現されることができる。
【００６７】
本発明により提供されるいくつかの実施例において、上述の方法と装置について、その他の形態より実現されることを理解できることであろう。上述の装置の実施例が例示的なものである。例えば、前記ユニットは、論理機能により区画されているユニットであるが、実際に実現する場合、その他の形態により区画されてもよい。例えば、複数なユニット又はモジュールを組み合わせてもよいし、又はその他のシステムに集約されてもよいし、又はいくつかの特徴を無視や実行しない。また、表示される又は説明される各構成部分間の通信接続について、インタフェース、設備又はモジュールを介して間接的に接続又は通信により接続されてもよいし、電気的、機械的又はその他の形態により接続されてもよい。
【００６８】
分離モジュールとして説明される上記ユニットは、物理的に離間されたものであってもよいし、その他の形態により離間されたものであってもよい。ユニットとして表示されるモジュールは、物理なモジュールであってもよいし、物理なモジュールではなくでもよい。即ち、一つの場所にあってもよいし、複数なネットワークモジュールに配置してもよい。実際のニーズに基づいて、こちらの中の一部又はすべてのユニットを選択することによって、本実施例の技術案の目的を実現することができる。
【００６９】
また、本発明の各実施例に係る各機能ユニットについて、一つの処理ユニットに集約されてもよいし、各ユニットがそれぞれ別のユニットとしてもよいし、二つ又は二つ以上のユニットが一つ処理ユニットに集約されてもよい。上記集約されたユニットは、ハードウェアの形態により実現されることができるし、ハードウェアとソフトウェアを組み合わせた機能ユニットの形態により実現されることもできる。
【００７０】
当業者であれば、プログラムコマンドに関するハードウェアにより、上記方法の実施例のすべて又は一部のステップが実現されることができ、前記プログラムは、コンピュータ読み取り可能な記憶媒体に記憶することができ、該当プログラムが実行される場合、上記方法の実施例を含むステップが実行され、前記記憶媒体は、リムーバブル記憶装置、読出し専用メモリ（ＲＯＭ：Ｒｅａｄ−Ｏｎｌｙ  Ｍｅｍｏｒｙ）、ランダムアクセスメモリー（ＲＡＭ：Ｒａｎｄｏｍ  Ａｃｃｅｓｓ  Ｍｅｍｏｒｙ）、フレキシブルディスク又は光ディスクなどのプログラムコード記憶可能な各種媒体を含むことを理解できることであろう。
【００７１】
又は、ソフトウェア機能モジュールの形態により、本発明の実施例に係る上記集約ユニットが実現され、別の製品として発売される又は使用される場、一つのコンピュータ読み取り可能な記憶媒体に記憶することができる。このような理解に基づいて、本発明の実施例の技術案について、本質的な部分又は従来の技術に寄与する部分は、ソフトウェア製品の形態により実現されることができる。該当コンピュータソフトウェア製品は、一つの記憶媒体に記憶され、若干のコマンドが含まれる。該当コマンドは、一台コンピュータ設備（パーソナルコンピュータ、サーバー、又はネットワーク設備などであってもよい）が本発明の各実施例に係る前記方法の全部又は一部を実行するためのものである。前記の記憶媒体は、リムーバブル記憶装置、ＲＯＭ、ＲＡＭ、フレキシブルディスク又は光ディスクなどのプログラムコードの記憶可能な各種媒体を含む。
【００７２】
本発明は、実例に記載されている能動的にリソース状況を通知する方法及び装置は、ＬＴＥ通信システムを例にとするが、これに限られない。能動的にリソース状況を通知する方法及び装置は本発明の請求項の保護範囲内に属するべきである。
【００７３】
以上の説明は、本発明の好ましい実施形態に過ぎず、本発明の保護範囲を限定することに用いられるものではない。
【図１】
0006259080.tif 000002
【図２】
0006259080.tif 000003
【図３】
0006259080.tif 000004
【図４】
0006259080.tif 000005